(57)【要約】【課題】被検体が動く場合でも、センサー部を所与の圧力で被検体に押し付けた状態を維持することができる生体情報検出装置を提供する。【解決手段】生体情報検出装置１００は、バンド本体１１（１２）と、バンド本体１１（１２）に接続された伸縮部２１（２２）と、伸縮部２１（２２）、または伸縮部２１（２２）に隣り合う領域のバンド本体１１（１２）に接続され、伸縮部２１（２２）の少なくとも一部を覆うカバー２１０（２２０）とを含む。【選択図】図４Ａ
2017148153.tif 000002
【特許請求の範囲】
【請求項１】
バンド本体と、
前記バンド本体に接続された伸縮部と、
前記伸縮部、または前記伸縮部に隣り合う領域の前記バンド本体に接続され、前記伸縮部の少なくとも一部を覆うカバーと、を含むことを特徴とするバンド。
【請求項２】
前記カバーは、
自然長であるときの前記伸縮部を覆うように配置されることを特徴とする請求項１に記載のバンド。
【請求項３】
前記バンド本体の長手方向を第１の方向とし、前記第１の方向と交差する方向を第２の方向としたとき、
前記カバーは、
第１の壁部と、
前記第１の壁部と対向する第２の壁部と、を有し、
前記伸縮部は、
前記第２の方向と交差し、前記第１の壁部と対向する第１の側面と、
前記第２の方向と交差し、前記第２の壁部と対向する第２の側面と、
を有することを特徴とする請求項１または請求項２に記載のバンド。
【請求項４】
前記カバーは、
突起部を備え、前記バンドを被装着体に装着した場合に、前記第１の壁部および前記第２の壁部の前記被装着体に対向する側において前記第１の壁部と前記第２の壁部とを接続する第３の壁部、を有し、
前記伸縮部、または前記バンド本体は、
前記突起部に対応する位置に凹部を有し、
前記突起部は、前記凹部に挿入されることを特徴とする請求項３に記載のバンド。
【請求項５】
前記突起部は、
先端部に、前記バンド本体側に向かって前記第３の壁部からの高さが減少する傾斜面を有することを特徴とする請求項４に記載のバンド。
【請求項６】
前記カバーは、
前記第１の壁部および前記第２の壁部から、前記第２の方向に沿って前記伸縮部に向かう方向に突出する遮蔽部を有することを特徴とする請求項３ないし請求項５のいずれか一項に記載のバンド。
【請求項７】
前記カバーは、
少なくとも前記第３の壁部から前記バンド本体側に突出する庇部を有することを特徴とする請求項４ないし請求項６のいずれか一項に記載のバンド。
【請求項８】
前記庇部の前記被装着体側に位置する面は、前記伸縮部側から前記バンド本体側に向かって、前記庇部の厚さが減少するように傾斜していることを特徴とする請求項７に記載のバンド。
【請求項９】
ケースと、
バンド本体と、前記バンド本体に接続された伸縮部と、前記伸縮部、または前記伸縮部に隣り合う領域の前記バンド本体に接続され、前記伸縮部の少なくとも一部を覆うカバーと、を含み、前記ケースに接続されたバンドと、
を備えていることを特徴とする身体装着型の電子機器。
【請求項１０】
前記バンド本体の長手方向を第１の方向とし、前記第１の方向と交差する方向を第２の方向とした場合に、
前記カバーは、
第１の壁部と、
前記第１の壁部と対向する第２の壁部と、を有し、
前記伸縮部は、
前記第２の方向と交差し、前記第１の壁部と対向する第１の側面と、
前記第２の方向と交差し、前記第２の壁部と対向する第２の側面と、
を有することを特徴とする請求項９に記載の身体装着型の電子機器。
【請求項１１】
前記カバーは、
突起部を備え、前記バンドを被装着体に装着した場合に、前記第１の壁部および前記第２の壁部の前記被装着体に対向する側において前記第１の壁部と前記第２の壁部とを接続する第３の壁部を有し、
前記伸縮部、または前記バンド本体は、
前記突起部に対応する位置に凹部を有し、
前記突起部は、前記凹部に挿入されることを特徴とする請求項９または請求項１０に記載の身体装着型の電子機器。
【発明の詳細な説明】
【技術分野】
【０００１】
本発明は、バンド、およびバンドを備えた身体装着型の電子機器に関する。
【背景技術】
【０００２】
近年、センシング技術の向上により腕時計型の活動計（生体情報検出装置）が各社から多く商品化されてきている。そして、このような活動計やウォッチ（時計）等を、例えば被検体の腕などに固定するために用いるバンドも発明されている。そのような従来技術としては、例えば特許文献１に記載される技術が開示されている。
【０００３】
特許文献１に記載される発明では、同文献の図１に示されているように、バンドに伸縮性があり、腕径の変化に対応しやすい形状となっている。具体的には、バンドの長手方向に伸長しやすい形状になっているため、活動計の裏面に設けられたセンサー部を所定圧力で肌表面に密着させることができる。
【先行技術文献】
【特許文献】
【０００４】
【特許文献１】特開２０１２−９０９７５号公報
【発明の概要】
【発明が解決しようとする課題】
【０００５】
しかしながら、近年は、従来の活動計（例えば脈拍計）のみならず、例えばＧＰＳ搭載のランニングウォッチ等、激しい動きをする際に用いられるスポーツ機器でも、生体情報をセンシングする必要が高まっている。また、活動計を用いた装着であっても、終日装着して計測を行う機種もあり、スポーツ機器と同様の状況が生じうる。特許文献１において開示されているバンドを、そのような激しい動きをする際に用いる機器に使用すると、激しい腕の振り等によって機器本体に大きな重力加速度が掛かり、バンドに設けた伸縮部に伸長方向とは異なる方向の力が作用することがある。その結果、機器本体が腕の動きに合わせて揺れたり、捻れたり、あるいは傾いたりしてしまう。この場合、機器本体の裏蓋に配置されたセンサー部を肌表面に密着させた状態を維持させることが出来ず、センサー信号の誤検出や破断などの生じる虞がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るバンドは、バンド本体と、前記バンド本体に接続された伸縮部と、前記伸縮部、または前記伸縮部に隣り合う領域の前記バンド本体に接続され、前記伸縮部の少なくとも一部を覆うカバーと、を含むことを特徴とする。
【０００８】
本適用例によれば、伸縮部、または伸縮部に隣り合う領域のバンド本体に接続されたカバーにより、伸縮部が過度に捩じれたり傾いたりすることを防ぐことができ、過度の捩じれや傾きによる伸縮部の破損を抑制することが可能となる。また、カバーが伸縮部またはバンド本体に接続されているため、伸縮部が伸縮してもカバーは伸縮部の動きに連れて動き、カバーと、伸縮部やバンド本体との間に隙間などを生じないため、装着感（フィット感）を損ねることを防ぐことが可能となる。
【０００９】
［適用例２］上記適用例に記載のバンドにおいて、前記カバーは、自然長であるときの前記伸縮部を覆うように配置されることが好ましい。
【００１０】
本適用例によれば、カバーのデザイン性を向上させ、非装着時において、外部から伸縮部を見えないようにすることが可能となる。
【００１１】
［適用例３］上記適用例に記載のバンドにおいて、前記バンド本体の長手方向を第１の方向とし、前記第１の方向と交差する方向を第２の方向としたとき、前記カバーは、第１の壁部と、前記第１の壁部と対向する第２の壁部と、を有し、前記伸縮部は、前記第２の方向と交差し、前記第１の壁部と対向する第１の側面と、前記第２の方向と交差し、前記第２の壁部と対向する第２の側面と、を有することが好ましい。
【００１２】
本適用例によれば、カバーの第１の壁部および第２の壁部により、第２の方向への伸縮部の動きを規制することが可能となり、伸縮部の過度の変形を抑制することが可能となる。
【００１３】
［適用例４］上記適用例に記載のバンドにおいて、前記カバーは、突起部を備え、前記バンドを被装着体に装着した場合に、前記第１の壁部および前記第２の壁部の前記被装着体に対向する側において前記第１の壁部と前記第２の壁部とを接続する第３の壁部、を有し、前記伸縮部、または前記バンド本体は、前記突起部に対応する位置に凹部を有し、前記突起部は、前記凹部に挿入されることが好ましい。
【００１４】
本適用例によれば、被装着体側に位置する第３の壁部から突出する突起部が、伸縮部またはバンド本体の凹部に挿入されるため、底面側を内側にバンド本体が湾曲するように変形されても、凹部から突起部が抜けてしまうことを防止することが可能となる。
【００１５】
［適用例５］上記適用例に記載のバンドにおいて、前記突起部は、先端部に、前記バンド本体側に向かって前記第３の壁部からの高さが減少する傾斜面を有することが好ましい。
【００１６】
本適用例によれば、カバーをバンド本体側に向かって嵌め込む場合に、障害となる部位に対して傾斜面を倣わせながら嵌め込むことができ、嵌め込み作業を行い易くすることが可能となる。
【００１７】
［適用例６］上記適用例に記載のバンドにおいて、前記カバーは、前記第１の壁部および前記第２の壁部から、前記第２の方向に沿って前記伸縮部に向かう方向に突出する遮蔽部を有することが好ましい。
【００１８】
本適用例によれば、遮蔽部により、第１の壁部の内側面と伸縮部の第１の側面との間の隙間、および第２の壁部の内側面と伸縮部の第２の側面との間の隙間において、外部から伸縮部を見えないようにすることが可能となり、バンドのデザイン性を向上させることができる。
【００１９】
［適用例７］上記適用例に記載のバンドにおいて、前記カバーは、少なくとも前記第３の壁部から前記バンド本体側に突出する庇部を有することが好ましい。
【００２０】
本適用例によれば、庇部によってカバーとバンド本体との段差の露出を防ぐことができ、段差によるフィット感の低下を防ぐことが可能となる。
【００２１】
［適用例８］上記適用例に記載のバンドにおいて、前記庇部の前記被装着体側に位置する面は、前記伸縮部側から前記バンド本体側に向かって、前記庇部の厚さが減少するように傾斜していることが好ましい。
【００２２】
本適用例によれば、庇部に設けられている、伸縮部側からバンド本体側に向かって庇部の厚さが減少する傾斜により、さらにフィット感を向上させることが可能となる。なお、「庇部の厚さ」とは、庇部の被装着体側の面（外面）と、該底面とは反対側の面（内面）との間の距離をいう。詳しくは、内面と外面とを結び、内面に垂直な線分の長さをいう。
【００２３】
［適用例９］本適用例に係る身体装着型の電子機器は、ケースと、バンド本体と、前記バンド本体に接続された伸縮部と、前記伸縮部、または前記伸縮部に隣り合う領域の前記バンド本体に接続され、前記伸縮部の少なくとも一部を覆うカバーと、を含み、前記ケースに接続されたバンドと、を備えていることを特徴とする。
【００２４】
本適用例によれば、伸縮部、または該伸縮部に隣り合う領域のバンド本体に接続されたカバーにより、伸縮部が過度に捩じれたり傾いたりすることを防ぐことができ、過度の捩じれや傾きによる伸縮部の破損を抑制することが可能となる。また、伸縮部が伸縮してもカバーは伸縮部の動きに連れて動き、カバーと伸縮部との間に隙間などを生じないため、装着感（フィット感）を損ねることを防ぐことが可能となる。
【００２５】
［適用例１０］上記適用例に記載の身体装着型の電子機器において、前記バンド本体の長手方向を第１の方向とし、前記第１の方向と交差する方向を第２の方向とした場合に、前記カバーは、第１の壁部と、前記第１の壁部と対向する第２の壁部と、を有し、前記伸縮部は、前記第２の方向と交差し、前記第１の壁部と対向する第１の側面と、前記第２の方向と交差し、前記第２の壁部と対向する第２の側面と、を有することが好ましい。
【００２６】
本適用例によれば、カバーの第１の壁部および第２の壁部により、第２の方向への伸縮部の動き（捻れや変形など）を規制することが可能となり、伸縮部の過度の変形を抑制することができる。
【００２７】
［適用例１１］上記適用例に記載の身体装着型の電子機器において、前記カバーは、突起部を備え、前記バンドを被装着体に装着した場合に、前記第１の壁部および前記第２の壁部の前記被装着体に対向する側において前記第１の壁部と前記第２の壁部とを接続する第３の壁部を有し、前記伸縮部、または前記バンド本体は、前記突起部に対応する位置に凹部を有し、前記突起部は、前記凹部に挿入されることが好ましい。
【００２８】
本適用例によれば、被装着体側に位置する第３の壁部の内側面から突出する突起部が、伸縮部またはバンド本体の凹部に挿入されるため、底面側を内側にバンド本体が湾曲するように変形されても、凹部から突起部が抜けてしまうことを防止することが可能となる。これらにより、電子機器を身体に装着した際に、ケースの浮き上がりを抑制することができ、ケースのフィット性（フィット感）を向上させることが可能となる。
【図面の簡単な説明】
【００２９】
【図１Ａ】身体装着型の電子機器の第１実施形態に係る生体情報検出装置の構成例を示す上面（表面）斜視図。
【図１Ｂ】第１実施形態に係る生体情報検出装置の下面（裏面）斜視図。
【図２Ａ】従来の生体情報検出装置の構成例を示す上面斜視図。
【図２Ｂ】従来の生体情報検出装置の構成例を示す下面斜視図。
【図３Ａ】従来の生体情報検出装置の問題点の説明図。
【図３Ｂ】従来の生体情報検出装置の問題点の説明図。
【図３Ｃ】従来の生体情報検出装置の問題点の説明図。
【図４Ａ】カバーの詳細な構成例を示す平面図。
【図４Ｂ】カバーの構成例を示す図であり、図４ＡのＡ−Ａ断面図。
【図４Ｃ】カバーの構成例を示す図であり、図４ＡのＡ−Ａ断面図。
【図４Ｄ】カバーの構成例を示す図であり、図４ＡのＢ−Ｂ断面図。
【図５】カバーの外観を示す斜視図。
【図６Ａ】自然長であるときの伸縮部とカバーとの関係を示す平面図。
【図６Ｂ】伸長したときの伸縮部とカバーとの関係を示す平面図。
【図７Ａ】身体装着型の電子機器の第２実施形態に係る生体情報検出装置の構成例を示す上面（表面）斜視図。
【図７Ｂ】第２実施形態に係る生体情報検出装置の下面（裏面）斜視図。
【図８Ａ】バンド（伸縮部）のケースへの取付けを説明する上面斜視図。
【図８Ｂ】バンド（伸縮部）のケースへの取付けを説明する平面図（上面図）。
【図９】カバーの変形例を示す断面図。
【図１０】カバーとバンドの接続に係る変形例における伸縮部の構成を示す断面図。
【発明を実施するための形態】
【００３０】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３１】
（第１実施形態）
図１Ａおよび図１Ｂを用いて、本発明の身体装着型の電子機器の第１実施形態に係る生体情報検出装置１００の構成例について説明する。図１Ａには、本発明の身体装着型の電子機器としての生体情報検出装置１００の上面（表面）側からの斜視図を示し、図１Ｂには、本発明の身体装着型の電子機器としての生体情報検出装置１００の下面（裏面）側からの斜視図を示す。なお、本明細書においては、電子機器の表示面側を上または表、表示面とは反対側（装着時に被検体に接する側）を下または裏として説明する。
【００３２】
身体装着型の電子機器としての生体情報検出装置１００は、被検体（被装着体）に装着され、被検体（被装着体）の生体情報を検出するセンサー部９０が設けられるケースとしてのケース部３０と、ケース部３０に取り付けられるバンドとしてのバンド部（第１のバンド部３１および第２のバンド部３２）と、カバー（第１のカバー２１０および第２のカバー２２０）と、を含む。以下、第１のバンド部３１および第２のバンド部３２を総称してバンド部３１（３２）、第１のカバー２１０および第２のカバー２２０を総称してカバー２１０（２２０）、ということがある。そして、バンド部３１（３２）は、バンド部３１（３２）の長手方向である第１の方向に沿って延在するバンド本体（第１のバンド本体１１および第２のバンド本体１２）と、ケース部３０側のバンド本体（第１のバンド本体１１および第２のバンド本体１２）に接続され、第１の方向に沿って伸長する伸縮部（第１の伸縮部２１および第２の伸縮部２２）を有する。以下、第１のバンド本体１１および第２のバンド本体１２を総称してバンド本体１１（１２）、第１の伸縮部２１および第２の伸縮部２２を総称して伸縮部２１（２２）、ということがある。なお、図１Ａおよび図１Ｂの例では、カバー２１０（２２０）が伸縮部２１（２２）の一部を遮蔽し、外部から直視できないようにしているため、伸縮部２１（２２）を点線で図示している。
【００３３】
そして、カバー２１０（２２０）は、伸縮部２１（２２）に対応する位置に設けられ、伸縮部２１（２２）の第１の側面ＳＳ１（図４Ａ参照）から第２の側面ＳＳ２（図４Ａ参照）へ向かう方向を第２の方向とした場合に、伸縮部２１（２２）の第２の方向への動きを規制する。なお、第２の方向を換言すれば、前述の第１の方向と交差する方向ということができる。
【００３４】
ここで、伸縮部２１（２２）に対応する位置とは、例えば図１Ａおよび図１Ｂに示すように、第１の方向において、非伸長時（自然長であるとき）の伸縮部２１（２２）と略同じ位置である。すなわち、カバー２１０（２２０）の形状が、図１Ａおよび図１Ｂに示すような形状である場合には、カバー２１０（２２０）は、少なくとも非伸長時（自然長であるとき）の伸縮部２１（２２）を覆う（遮蔽する）ように設けられる。
【００３５】
また、第２の方向とは、伸縮部２１（２２）の第１の側面ＳＳ１（図４Ａ参照）から第２の側面ＳＳ２（図４Ａ参照）へ向かう方向であり、第１の方向とは異なる方向である。後述する図４Ａの例では、第１の方向がＤＲ１であり、第２の方向がＤＲ２である。なお、後述する図４Ａの例では第２の方向ＤＲ２が、第１の方向ＤＲ１と直交する方向であるが、本実施形態はそれには限定されず、第２の方向は、第１の方向と交差する方向であればよい。
【００３６】
図１Ａおよび図１Ｂに示す生体情報検出装置１００の構成をより詳細に説明すると、生体情報検出装置１００は、第１のバンド部３１と、第２のバンド部３２と、ケース部３０と、固定部（遊革、定革）４０と、連結部（美錠）５０と、表示部７０と、操作部８０と、センサー部９０と、を含む。但し、生体情報検出装置１００は、図１Ａおよび図１Ｂの構成に限定されず、これらの一部の構成要素を省略したり、他の構成要素を追加したりするなどの種々の変形実施が可能である。
【００３７】
第１のバンド部３１は、ケース部３０の一端に取り付けられ、第２のバンド部３２は、ケース部３０の他端に取り付けられる。さらに、第１のバンド部３１は、第１のバンド本体１１と第１のバンド本体１１に接続され、伸長可能な第１の伸縮部２１を有し、第２のバンド部３２は、第２のバンド本体１２と第２のバンド本体１２に接続され、伸長可能な第２の伸縮部２２を有する。なお、ケース部３０は、トップケースおよびボトムケースを有する構成であってもよい。
【００３８】
そして、連結部（美錠）５０は、第１のバンド部３１および第２のバンド部３２を連結する。固定部（遊革、定革）４０は、第１のバンド部３１および第２のバンド部３２が連結された状態で、第１のバンド本体１１を第２のバンド本体１２に沿って固定する。
【００３９】
また、表示部７０は、各種情報を表示する。操作部８０は、ユーザーによる操作を受け付ける。センサー部９０は、ケース部の裏蓋（裏面）に設けられ、被検体に押し当てられた状態で、被検体の生体情報を検出する。
【００４０】
一方、前述した特許文献１においては、図２Ａおよび図２Ｂに示すような生体情報検出装置１００ａが例示されている。なお、図２Ａは、従来の生体情報検出装置の構成例を示す上面斜視図であり、図２Ｂは、従来の生体情報検出装置の構成例を示す下面斜視図である。図２Ａおよび図２Ｂに示す生体情報検出装置は、図１Ａおよび図１Ｂに示す生体情報検出装置１００とは異なり、カバー２１０（２２０）を有していない。
【００４１】
前述したように、図２Ａおよび図２Ｂに示すようなバンドを有する生体情報検出装置１００ａでは、激しい腕の振り等によって機器本体に大きな重力加速度が掛かり、バンド部１１ａ（１２ａ）に設けた伸縮部２１ａ（２２ａ）に伸長方向とは異なる方向の力が作用することがある。その結果、機器本体（ケース３０ａ）が腕の動きに合わせて揺れたり、捻れたり、あるいは傾いたりしてしまう。
【００４２】
このような問題点について、図３Ａ、図３Ｂ、および図３Ｃを参照して説明する。例えば、図３Ａ〜図３Ｃには、従来の生体情報検出装置の問題点の一例を示している。図３Ａには、非伸長時のバンドＢＤと被検体表面ＳＦを図示している。この状態から、伸縮部の伸長方向ＤＲ１（後述する第１の方向）にバンドＢＤが伸長した際には、図３Ｂの状態となる。図３Ｂの状態では、図３Ａと同様に、センサー部ＳＥが被検体表面ＳＦに密着しているため、正常にセンサー信号を取得することができ、問題を生じることがない。
【００４３】
一方、図３Ｃに示すように、伸縮部の伸長方向ＤＲ１とは異なる方向ＤＲ２に力が作用した場合には、センサー部ＳＥが被検体表面ＳＦからＰ１で示すように、浮き上がってしまう。そのため、センサー部ＳＥが正常にセンサー信号を取得することができず、問題となる。
【００４４】
そこで、本実施形態では、図１Ａおよび図１Ｂに示すように、バンドの伸縮部２１（２２）の動きを規制するカバー２１０（２２０）を設けている。これにより、伸縮部２１（２２）の伸長方向ＤＲ１（図３Ｂ参照、第１の方向）への動きをガイドしつつ、伸長方向以外とは異なる方向ＤＲ２（図３Ｃおよび図４Ａ参照、第２の方向）への動きを規制することができる。よって、被検体が動く場合でも、センサー部９０を所与の圧力で被検体に押し付けた状態を維持することが可能となる。その結果、センサー信号の誤検出を防ぐことができる。
【００４５】
２．生体情報検出装置の詳細な構成例
そして、カバー２１０（２２０）は、伸縮部２１（２２）の第２の方向への動きを規制する一方で、伸縮部２１（２２）の第１の方向に沿った伸長をガイドする。
【００４６】
これにより、例えば被検体（被装着体）の腕の周径に合わせて、バンド部３１（３２）を伸張させて、センサー部９０を所与の圧力で被検体に押し当てること等が可能になる。また、被検体が生体情報検出装置１００を装着している間に、バンド部３１（３２）を巻き付けた部位の周径が変わった場合にも、伸縮部２１（２２）を自動的に伸長させて、センサー部９０を被検体に所与の圧力で押しつける状態を維持すること等も可能である。
【００４７】
図１Ａおよび図１Ｂに示す生体情報検出装置１００の構成をより具体的に説明すると、生体情報検出装置１００は、第１のバンド部３１と、第１のバンド部３１とは異なる第２のバンド部３２を有する。そして、第１のバンド部３１は、第１の伸縮部２１を有し、第２のバンド部３２は、第２の伸縮部２２を有する。第１のバンド部３１は、第１の伸縮部２１に隣り合う領域の第１のバンド本体１１に設けられた凹部としての二つの貫通孔１１７（図４Ａ参照）を有している。また、第２のバンド部３２は、第２の伸縮部２２に隣り合う領域の第２のバンド本体１２に設けられた凹部としての二つの貫通孔１１７（図４Ａ参照）を有している。二つの貫通孔１１７は、図４Ｄを参照して後述するカバー２１０（２２０）の突起部２１７（２２７）に対応して設けられる。なお、貫通孔１１７は、第１のバンド本体１１および第２のバンド本体１２の表裏面を貫通する貫通孔に限らず、カバー２１０（２２０）の突起部２１７（２２７）を挿入可能な有底の凹部とすることができる。また、貫通孔１１７の数、もしくは配置位置などは、本例に限られるものではない。なお、第１のバンド部３１側の突起部２１７および第２のバンド部３２側の突起部２２７を総称して突起部２１７（２２７）としている。
【００４８】
さらに、生体情報検出装置１００は、第１の伸縮部２１に対応する位置に設けられる第１のカバー２１０と、第２の伸縮部２２に対応する位置に設けられ、第１のカバー２１０とは異なる第２のカバー２２０を有する。
【００４９】
これにより、第１の伸縮部２１の第２の方向への動きを規制するとともに、第２の伸縮部２２の第２の方向への動きを規制すること等が可能になる。
【００５０】
次に、カバー２１０（２２０）について図４Ａ〜図４Ｄを参照して説明する。図４Ａ〜図４Ｄは、カバーの詳細な構成例を示す図である。図４Ａは、カバーの平面図である。図４Ｂは、カバーの上部壁（第４の壁部）の無い場合を示す図４ＡのＡ−Ａ断面図であり、図４Ｃは、カバーの上部壁（第４の壁部）の有る場合を示す図４ＡのＡ−Ａ断面図である。図４Ｄ、はカバーの上部壁（第４の壁部）の有る場合を示す図４ＡのＢ−Ｂ断面図である。
【００５１】
図４Ａに示すように、カバー２１０（２２０）は、内側面ＩＳＦ１が伸縮部２１（２２）の第１の側面ＳＳ１に対向する第１の壁部２１１（２２１）と、内側面ＩＳＦ２が伸縮部２１（２２）の第２の側面ＳＳ２に対向する第２の壁部２１２（２２２）を有する。なお、第１のバンド部３１側の第１の壁部２１１および第２のバンド部３２側の第１の壁部２２１を総称して第１の壁部２１１（２２１）とし、第１のバンド部３１側の第２の壁部２１２および第２のバンド部３２側の第２の壁部２２２を総称して第２の壁部２１２（２２２）としている。
【００５２】
言い換えれば、カバー２１０（２２０）は、第１の壁部２１１（２２１）と、第１の壁部２１１（２２１）と対向する第２の壁部２１２（２２２）と、を有する。そして、伸縮部２１（２２）は、第２の方向と交差し、第１の壁部２１１（２２１）の内側面と対向する第１の側面ＳＳ１と、第２の方向と交差し、第２の壁部２１２（２２２）の内側面と対向する第２の側面ＳＳ２と、を有する。
【００５３】
これにより、第２の方向への伸縮部２１（２２）の動きを規制すること等が可能になる。
【００５４】
また、カバー２１０（２２０）は、ケース部３０側の端部に、第１の壁部２１１（２２１）および第２の壁部２１２（２２２）から、第２の方向に沿って伸縮部２１（２２）に向かう方向に突出する遮蔽部２１５（２２５）を有することが好ましい。遮蔽部２１５（２２５）は、カバー２１０（２２０）をバンド部３１（３２）に装着した場合に、内側面ＩＳＦ１と伸縮部２１（２２）の第１の側面ＳＳ１との間の隙間、および内側面ＩＳＦ２と伸縮部２１（２２）の第２の側面ＳＳ２との間の隙間を遮蔽する位置に設けられる。なお、第１のバンド部３１側の第１の遮蔽部２１５および第２のバンド部３２側の第２の遮蔽部２２５を総称して遮蔽部２１５（２２５）としている。
【００５５】
このような遮蔽部２１５（２２５）を設けることによって、第１の壁部２１１（２２１）の内側面ＩＳＦ１と伸縮部２１（２２）の第１の側面ＳＳ１との間、および第２の壁部２１２（２２２）の内側面ＩＳＦ２と伸縮部２１（２２）の第２の側面ＳＳ２との間から、伸縮部２１（２２）が見えないようにすることが可能となり、バンド部３１（３２）のデザイン性を向上させることができる。なお、遮蔽部２１５（２２５）の位置は、端部近傍であればよく、伸縮部２１（２２）の形状が変化する部分が見えにくくできれば、端部よりもややバンド本体よりの位置に設けられていてもよい。
【００５６】
さらに、カバー２１０（２２０）は、図４Ｂおよび図４Ｃに示すように、内面ＩＳＦ３が伸縮部２１（２２）の底面ＢＳに対向し、生体情報検出装置１００の装着時に外面ＯＳＦが被検体の生体面ＬＦに対向する第３の壁部としての底部２１３（２２３）を有している。換言すれば、カバー２１０（２２０）は、バンド部３１（３２）を被検体の生体面ＬＦに装着した場合に、第１の壁部２１１（２２１）および第２の壁部２１２（２２２）の被検体の生体面ＬＦに対向する側において第１の壁部２１１（２２１）と第２の壁部２１２（２２２）とを接続する第３の壁部としての底部２１３（２２３）を有している。なお、第１のバンド部３１側の底部２１３および第２のバンド部３２側の底部２２３を総称して第３の壁部としての底部２１３（２２３）としている。
【００５７】
そのため、センサー部９０を被検体に押しつけて、バンド部３１（３２）を巻き付けた時に、カバー２１０の底部２１３（２２３）も被検体の生体面ＬＦに押しつけられ、底部２１３（２２３）と被検体の生体面ＬＦとの間に摩擦力が働く。
【００５８】
これにより、被検体の生体面ＬＦに押しつけた状態でバンド部３１（３２）を固定すること等が可能になる。また、底部２１３（２２３）を設けることによって、カバー２１０の第１の壁部２１１（２２１）および第２の壁部２１２（２２２）と、被検体の生体面ＬＦとの隙間を塞ぎ、バンド部３１（３２）が、その隙間をくぐり抜けて、位置ずれすることを防ぐこと等が可能になる。
【００５９】
また、カバー２１０（２２０）は、図４Ｃに示すように、内側面ＩＳＦ４が伸縮部２１（２２）の上面ＵＳと対向する上部壁としての第４の壁部２１４（２２４）を有していてもよい。なお、第１のバンド部３１側の第４の壁部２１４および第２のバンド部３２側の第４の壁部２２４を総称して第４の壁部２１４（２２４）としている。
【００６０】
さらに、カバー２１０（２２０）は、図４Ｄに示すように、底部２１３（２２３）の内面ＩＳＦ３から第４の壁部２１４（２２４）に向かって突出する突起部２１７（２２７）を有している。なお、第１のバンド部３１側の突起部２１７および第２のバンド部３２側の突起部２２７を総称して突起部２１７（２２７）としている。突起部２１７（２２７）は、伸縮部２１（２２）に隣り合う領域のバンド本体１１（１２）に対向する底部２１３（２２３）に設けられている。そして、突起部２１７（２２７）が、バンド本体１１（１２）に設けられた凹部としての貫通孔１１７（図４Ａ参照）に挿入されることによって、カバー２１０（２２０）が、バンド部３１（３２）に接続される。なお、本形態では、二つの突起部２１７（２２７）が、第２の方向に並んで設けられている構成を例示したが、突起部２１７（２２７）の数、もしくは配置位置などは、これに限られるものではない。
【００６１】
このように設けられた突起部２１７（２２７）が、バンド本体１１（１２）に設けられた貫通孔１１７に挿入されて、カバー２１０（２２０）とバンド部３１（３２）とが接続されることにより、接続をより確実に行うことができる。具体的には、ケース部３０を被検体の生体面ＬＦに押し付けようとしてバンド部３１（３２）が湾曲しても、バンド本体１１（１２）およびカバー２１０（２２０）の底部２１３（２２３）は、それぞれ同じ方向に湾曲するため、貫通孔１１７から突起部２１７（２２７）が抜けることを防止することが可能となる。
【００６２】
なお、突起部２１７（２２７）は、図４Ｄに示すように、底部２１３（２２３）と反対側に先端部を有している。突起部２１７（２２７）の先端部は、バンド本体１１（１２）側に向かって底部２１３（２２３）からの高さが減少する傾斜面ＦＴを有することが好ましい。
【００６３】
このように、突起部２１７（２２７）の先端部に傾斜面ＦＴが設けられていることにより、カバー２１０（２２０）をバンド部３１（３２）に嵌め込み易くすることが可能となる。具体的には、カバー２１０（２２０）をバンド本体１１（１２）側に向かって伸縮部２１（２２）の外側に嵌め込む場合に、伸縮部２１（２２）の各部位など嵌め込みに障害となる部位に対して傾斜面ＦＴを倣わせながら嵌め込むことができ、嵌め込み作業を行い易くすることが可能となる。
【００６４】
また、カバー２１０（２２０）は、図４Ｄに示すように、庇部２１６（２２６）を有している。庇部２１６（２２６）は、カバー２１０（２２０）の第３の壁部としての底部２１３（２２３）側に位置し、少なくとも底部２１３（２２３）を含むカバー２１０（２２０）からバンド本体１１（１２）側に向かい、バンド本体１１（１２）に沿って平板状に突出している。なお、第１のバンド部３１側の庇部２１６および第２のバンド部３２側の庇部２２６を総称して庇部２１６（２２６）としている。
【００６５】
庇部２１６（２２６）は、バンド本体１１（１２）側の面である内面ＩＳＦ３と、該内面ＩＳＦ３と反対側（被検体の生体面ＬＦ側）の面である外面ＦＳとを有している。内面ＩＳＦ３は、バンド本体１１（１２）に沿って設けられている。外面ＦＳは、伸縮部２１（２２）側からバンド本体１１（１２）側に向かって、庇部２１６（２２６）の内面ＩＳＦ３と外面ＦＳとの距離が小さくなるように、即ち庇部２１６（２２６）の厚さが減少するように傾斜している。換言すれば、庇部２１６（２２６）の外面ＦＳは、バンド本体１１（１２）側の端部において、内面ＩＳＦ３と略交差するように傾斜している。
【００６６】
このような庇部２１６（２２６）を設けることによって、カバー２１０（２２０）とバンド本体１１（１２）との段差が、被検体の生体面ＬＦの側に露出しなくなり、被検体の生体面ＬＦに装着した場合に段差によって生じるフィット感の低下を防ぐことが可能となる。また、庇部２１６（２２６）の外面ＦＳの傾斜により、フィット感をさらに向上させることが可能となる。
【００６７】
なお、庇部２１６（２２６）のバンド本体１１（１２）側の端部は、内面ＩＳＦ３と外面ＦＳとが曲面の外面形状を有する端面で接続されてもよいし、平面の外面形状を有する端面で接続されてもよいが、曲線状の外面形状を有する端面がより好ましく、装着感を向上させることができる。
【００６８】
この場合には、カバー２１０（２２０）は、図５のカバーの外観を示す斜視図に示すような外観になる。このような外観を有するカバー２１０（２２０）は、デザイン性が高く、外部から伸縮部２１（２２）を見えないようにすること等が可能になる。すなわち、生体情報検出装置１００のデザイン性を向上すること等が可能になる。
【００６９】
さらに、カバー２１０（２２０）が上部壁としての第４の壁部２１４（２２４）を有していることにより、カバー２１０の第１の壁部２１１（２２１）および第２の壁部２１２（２２２）の上側を、バンド本体１１（１２）が飛び越えて、位置ずれすることを防ぐこと等が可能になる。
【００７０】
なお、カバー２１０（２２０）は、例えばウレタン樹脂、もしくはシリコーン樹脂を主材とした樹脂で形成することができる。このような、柔軟で可撓性を備えた樹脂で形成されたカバー２１０（２２０）とすることで、上述の底部２１３（２２３）と被検体の生体面ＬＦとの間の摩擦力を発生しやすくしたり、被検体の生体面ＬＦに押し付けたときの違和感を減少させたりすることが可能となる。また、樹脂に替えて、例えば、アルミニウム、アルミ合金、ステンレスなどの成形の容易な金属材料を用いて形成することも可能である。
【００７１】
身体装着型の電子機器の第１実施形態に係る生体情報検出装置１００のバンド部３１（３２）における、カバー２１０（２２０）と伸縮部２１（２２）との関係を、図６Ａおよび図６Ｂを参照して説明する。図６Ａは、自然長であるときの伸縮部とカバーとの関係を示す平面図であり、図６Ｂは、伸長したときの伸縮部とカバーとの関係を示す平面図である。
【００７２】
図６Ａおよび図６Ｂに示すように、貫通孔１１７と図４Ｄに示されている突起部２１７（２２７）とによってバンド本体１１（１２）にカバー２１０（２２０）が接続されている。図６Ａに示すように、カバー２１０（２２０）は、バンド本体１１（１２）の貫通孔１１７に対向するとともに、力が加わっていない場合の自然長である伸縮部２１（２２）を略覆うように配置されている。なお、カバー２１０（２２０）のケース部３０側の端は、ケース部３０とバンド部３１（３２）との接続部にかかってもよい。このように、自然長の状態の伸縮部２１（２２）を外部から見えないようにすることが可能となり、生体情報検出装置１００（バンド部３１（３２））のデザイン性を損なわず、かつ伸縮部２１（２２）の第２の方向への動きを規制できる長さにすることが可能になる。
【００７３】
また、図６Ｂに示すように、伸縮部２１（２２）が伸長した場合、カバー２１０（２２０）は、バンド本体１１（１２）の伸縮部２１（２２）側に接続されているため、カバー２１０（２２０）はバンド本体１１（１２）に連れて動くことになり、伸縮部２１（２２）の伸長した部分がカバー２１０（２２０）から露出する。即ち、カバー２１０（２２０）とケース部３０との間に隙間を生じることになる。カバー２１０（２２０）とケース部３０との間の領域は、生体情報検出装置１００を装着したときに被検体（生体面ＬＦ）とバンド部３１（３２）との間に空間を生じる領域（生体面ＬＦとバンド部３１（３２）とが密着しにくい領域）であるため、このようなカバー２１０（２２０）とケース部３０との間に隙間が生じても、装着感（フィット感）に影響せず、装着感（フィット感）を損ねることを防ぐことが可能である。
【００７４】
また、カバー２１０（２２０）とケース部３０との間の領域は、被検体（生体面ＬＦ）とバンド部３１（３２）との間に空間を生じる領域であるため、伸縮部２１（２２）が伸縮動作しても、カバー２１０（２２０）と伸縮部２１（２２）との間やカバー２１０（２２０）とケース部３０との間に、被検体の生体面ＬＦが挟まってしまうなどの不具合を防止することが可能である。
【００７５】
上述のような構成のバンド部３１（３２）、およびバンド部３１（３２）を用いた身体装着型の生体情報検出装置１００によれば、伸縮部２１（２２）に隣り合う領域のバンド本体１１（１２）に接続されたカバー２１０（２２０）により、伸縮部２１（２２）が過度に捩じれたり傾いたりすることを防ぐことができ、過度の捩じれや傾きによる伸縮部２１（２２）の破損を抑制することが可能となる。また、伸縮部２１（２２）が伸縮動作してもカバー２１０（２２０）は伸縮部２１（２２）の動きに連れて動き、カバー２１０（２２０）と、バンド本体１１（１２）や伸縮部２１（２２）との間に隙間などを生じないため、被検体（生体面ＬＦ）の挟み込みなど装着感（フィット感）を損ねる事象を防ぐことが可能となる。
【００７６】
また、上述のような構成の生体情報検出装置１００を用いることにより、被検体（生体面ＬＦ）が動く場合でも、センサー部９０を所与の圧力で被検体に押し付けた状態を維持することが可能となる。
【００７７】
（第２実施形態）
図７Ａおよび図７Ｂを用いて、本発明の身体装着型の電子機器の第２実施形態に係る生体情報検出装置１０１の構成例について説明する。図７Ａには、本発明の身体装着型の電子機器としての生体情報検出装置１０１の上面（表面）側からの斜視図を示し、図７Ｂには、本発明の身体装着型の電子機器としての生体情報検出装置１０１の下面（裏面）側からの斜視図を示す。
【００７８】
上述の第１実施形態に係る生体情報検出装置１００では、バンド部３１（３２）に接続された伸縮部２１（２２）と、それに対応するカバー２１０（２２０）とを２セット有している構成例、換言すれば第１のバンド部３１および第２のバンド部３２のそれぞれに伸縮部２１（２２）とカバー２１０（２２０）とを備えた構成例を説明した。
【００７９】
これに比し、身体装着型の電子機器の第２実施形態に係る生体情報検出装置１０１は、図７Ａおよび図７Ｂに示すように、第１のバンド部３１を構成する第１のバンド本体１１に接続された第１の伸縮部２１と、それに対応する第１のカバー２１０を１セットだけ有している。即ち、図７Ａおよび図７Ｂに示すように、第２のバンド部１３２には、伸縮部が設けられておらず、第２のバンド本体１１２が、直接ケース部３０と接続されている。ここで、第１の伸縮部２１（第１のバンド部３１）、および第１のカバー２１０の構成は、第１実施形態の構成と同様であるため、説明を省略する、また、その他の構成についても、図１Ａおよび図１Ｂを参照して説明した第１実施形態の構成と同様であるため、説明を省略する。
【００８０】
このように、１セットの第１の伸縮部２１と第１のカバー２１０とを備えた第２実施形態に係る生体情報検出装置１０１によれば、第１の伸縮部２１、または第１の伸縮部２１に隣り合う領域の第１のバンド本体１１に接続された第１のカバー２１０により、第１の伸縮部２１が過度に捩じれたり傾いたりすることを防ぐことができ、過度の捩じれや傾きによる第１の伸縮部２１の破損を抑制することが可能となる。また、第１の伸縮部２１が伸縮動作しても第１のカバー２１０は第１の伸縮部２１の動きに連れて動き、第１のカバー２１０と第１の伸縮部２１との間に隙間などを生じないため、被検体（生体面ＬＦ）の挟み込みなど装着感（フィット感）を損ねる事象を防ぐことが可能となる。即ち、第２実施形態に係る生体情報検出装置１０１においても、第１実施形態に係る生体情報検出装置１００と同様な効果を奏する。
【００８１】
（バンドとケース部との取り付け構成）
ここで、図８Ａおよび図８Ｂを参照して、上述の第１実施形態および第２実施形態における、バンド部３１（３２），１３２とケース部３０との取り付け（接続）例について説明する。図８Ａおよび図８Ｂは、バンド（伸縮部）のケースへの取付けを説明するための説明図であり、図８Ａは上面側から見た上面斜視図であり、図８Ｂは、上面から見た平面図（上面図）である。なお、図８Ａの上面斜視図は、図示の便宜上カバーの上部壁（第４の壁部）を省略し、伸縮部が視認できる状態を示している。また、図８Ａの上面斜視図は、バネ棒ＢＢを挿通する前の状態を示している。また、図８Ｂに示す平面図は、バネ棒ＢＢを挿通した後の取り付け状態を示している。
【００８２】
取り付けの具体例としては、図８Ａおよび図８Ｂに示すように、ケース部３０における取り付け部位に孔部ＨＬ１および孔部ＨＬ５が設けられ、バンド部３１（３２）の伸縮部２１（２２）の取り付け側の端部に孔部ＨＬ３が設けられる。そして、これらの孔部（ＨＬ１、ＨＬ３、ＨＬ５）に、共通の棒部材（バネ棒）ＢＢが挿通されることで、取り付け位置において、バンド部３１（３２）の伸縮部２１（２２）がケース部３０に取り付けられることができる。
【００８３】
なお、バンド部３１（３２），１３２とケース部３０との取り付け（接続）の構成は、上述例の伸縮部２１（２２）の取り付け部位を挟み、その両側にケース部３０の取り付け部位が配置される構成に限定されるものではない。他の構成例としては、例えば、ケース部３０の取り付け部位を挟み、その両側に伸縮部２１（２２）の取り付け部位が突出して配置され、それぞれに孔部が設けられ、それぞれの孔部に上述と同様な共通の棒部材（バネ棒）ＢＢが挿通されることで、取り付け位置においてバンド部３１（３２），１３２とケース部３０とを取り付け（接続）できる構成をあげることができる。
【００８４】
（カバーの変形例）
次に、カバー２１０（２２０）の変形例について、図９を参照しながら説明する。図９は、カバーの変形例を示す正断面図である。
【００８５】
上述した実施形態に係るカバー２１０（２２０）は、第１の壁部２１１（２２１）と、第２の壁部２１２（２２２）と、検体の生体面ＬＦに対向する側において第１の壁部２１１（２２１）と第２の壁部２１２（２２２）とを接続する第３の壁部としての底部２１３（２２３）と、底部２１３（２２３）の反対側に位置する第４の壁部２１４（２２４）とが繋がった一体で形成されている例で説明した。
【００８６】
これに対し、図９に示す本変形例のカバー２１０ａ（２２０ａ）は、第１の壁部２１１（２２１）と第３の壁部としての底部２１３（２２３）との接続部分が、スリット状の分割部２１１Ｄ（２２１Ｄ）によって分断されている。即ち、変形例のカバー２１０ａ（２２０ａ）は、第１の壁部２１１（２２１）と第３の壁部としての底部２１３（２２３）とが接続されていない構成を示している。
【００８７】
このような構成のカバー２１０ａ（２２０ａ）によれば、バンド部３１（３２）への取り付けを容易に行うことが可能となる。具体的には、底部２１３（２２３）に対し、分割部２１１Ｄ（２２１Ｄ）を境に、第１の壁部２１１（２２１）や第４の壁部２１４（２２４）側を開いて、バンド部３１（３２）にセットする。その後、開いていた第１の壁部２１１（２２１）や第４の壁部２１４（２２４）を元の位置に戻すことにより、バンド部３１（３２）にカバー２１０ａ（２２０ａ）を取り付けることができる。このように、嵌め込み（押し込み）を行うことなく、容易にカバー２１０ａ（２２０ａ）を取り付けることができる。
【００８８】
（カバーとバンドの接続に係る変形例）
次に、カバーとバンドの接続に係る変形例について、図１０を参照しながら説明する。図１０は、カバーとバンドの接続に係る変形例における伸縮部の構成例を示す正断面図である。
【００８９】
上述した実施形態では、伸縮部２１（２２）に隣り合う領域のバンド本体１１（１２）に設けられた貫通孔１１７に、カバー２１０（２２０）に設けられた突起部２１７（２２７）が挿入されることにより、カバー２１０（２２０）とバンド部３１（３２）とが接続されていた。
【００９０】
これに対し、図１０に示されているように、バンド本体１１（１２）に隣り合う領域の伸縮部２１（２２）とバンド本体１１（１２）とにかけて、凹部としての貫通孔１１７ａが設けられている。そして、この貫通孔１１７ａに、カバー２１０（２２０）に設けられた突起部２１７ａ（２２７ａ）が挿入されることにより、バンド部３１（３２）にカバー２１０（２２０）が接続される。
【００９１】
このような構成のカバー２１０（２２０）とバンド部３１（３２）との接続に係る変形例によれば、伸縮部２１（２２）と、該伸縮部２１（２２）に隣り合う領域のバンド本体１１（１２）とにかかる位置で、バンド部３１（３２）とカバー２１０（２２０）とが接続されている。これにより、上述の実施形態と同様に、伸縮部２１（２２）が伸縮動作してもカバー２１０（２２０）は伸縮部２１（２２）の動きに連れて動き、カバー２１０（２２０）と、バンド本体１１（１２）や伸縮部２１（２２）との間に隙間などを生じないため、被検体（生体面ＬＦ）の挟み込みなど装着感（フィット感）を損ねる事象を防ぐことが可能となる。また、伸縮部２１（２２）が過度に捩じれたり傾いたりすることを防ぐことができ、過度の捩じれや傾きによる伸縮部２１（２２）の破損を抑制することが可能となる。
【００９２】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書または図面において、少なくとも一度、より広義または同義な異なる用語と共に記載された用語は、明細書または図面のいかなる箇所においても、その異なる用語に置き換えることができる。また、生体情報検出装置の構成、動作も本実施形態で説明したものに限定されず、種々の変形実施が可能である。
【符号の説明】
【００９３】
１１…第１のバンド本体、１２…第２のバンド本体、２１…第１の伸縮部、２２…第２の伸縮部、３０…ケースとしてのケース部、３１…バンドとしての第１のバンド部、３２…バンドとしての第２のバンド部、４０…固定部、５０…連結部、７０…表示部、８０…操作部、９０…センサー部、１００…身体装着型の電子機器としての生体情報検出装置、１１７…凹部としての貫通孔、２１０…第１のカバー、２１１…第１の壁部、２１２…第２の壁部、２１３…底部、２１４…第４の壁部、２１５…第１の遮蔽部、２１６…庇部、２１７…突起部、２２０…第２のカバー、２２１…第１の壁部、２２２…第２の壁部、２２３…底部、２２４…第４の壁部、２２５…第２の遮蔽部、２２６…庇部、２２７…突起部、ＬＦ…被検体の生体面、ＩＳＦ１，ＩＳＦ２…内側面、ＩＳＦ３…内面、ＯＳＦ…外面、ＦＳ…庇部の外面、ＳＳ１…第１の側面、ＳＳ２…第２の側面、ＦＴ…傾斜面、ＤＲ１…第１の方向、ＤＲ２…第２の方向。
【図１Ａ】
2017148153.tif 000003
【図１Ｂ】
2017148153.tif 000004
【図２Ａ】
2017148153.tif 000005
【図２Ｂ】
2017148153.tif 000006
【図３Ａ】
2017148153.tif 000007
【図３Ｂ】
2017148153.tif 000008
【図３Ｃ】
2017148153.tif 000009
【図４Ａ】
2017148153.tif 000010
【図４Ｂ】
2017148153.tif 000011
【図４Ｃ】
2017148153.tif 000012
【図４Ｄ】
2017148153.tif 000013
【図５】
2017148153.tif 000014
【図６Ａ】
2017148153.tif 000015
【図６Ｂ】
2017148153.tif 000016
【図７Ａ】
2017148153.tif 000017
【図７Ｂ】
2017148153.tif 000018
【図８Ａ】
2017148153.tif 000019
【図８Ｂ】
2017148153.tif 000020
【図９】
2017148153.tif 000021
【図１０】
2017148153.tif 000022